(57)【要約】      （修正有）【課題】意外性やおもしろみのあるサイドノック式の筆記具を提供する。【解決手段】キャラクタ５０は、筆記具本体１０の基端部と保持スプリング４０によって連結されていて、この保持スプリング４０が３６０度、任意の方向に自在に湾曲することにより、移動することができる。使用者は、一見、保持スプリング４０でしか連結されていないように見えるキャラクタ５０において、ノック操作部３０の動作に連動してどうして揺動して赤目Ａが見えるようになったのかを理解することができない。つまり、機構（からくり）がわからないのに、赤目Ａが見えるようになるという、意外性やおもしろみを発揮することができる。【選択図】図２
2010234626.tif 000002
【特許請求の範囲】
【請求項１】
サイドノック式の筆記具において、
軸心に沿って基端部側から先端部側に延びるように形成され、内側に中空の収納部を有する筆記具本体と、
前記筆記具本体の前記収納部に収納される収納位置と、前記筆記具本体の前記先端部から突出されて筆記に供される筆記位置との間を移動可能な筆記部と、
前記筆記具本体の外周面に前記軸心方向移動可能に突設され、第１位置から第２位置に押し下げられることで、前記筆記部を前記収納位置から前記筆記位置に移動させ、前記第２位置から前記第１位置へ押し上げられることで、前記筆記部を前記筆記位置から前記収納位置に退避させるノック操作部と、
前記筆記具本体の前記基端部から上方に向かって延びる湾曲可能な保持スプリングと、
前記保持スプリングの上端に固定されたキャラクタ本体を有するキャラクタと、
前記キャラクタの一部を構成するとともに、前記キャラクタ本体によって運動可能に支持された可動部と、
前記筆記具本体の前記収納部と前記保持スプリングの内側と前記キャラクタ本体の内部を通って前記ノック操作部と前記可動部とを連結する可撓性の連結部材とを備え、
前記ノック操作部の前記第１位置と第２位置との間の移動に伴って、前記連結部材を介して前記可動部が視認可能な動作を行う、
ことを特徴とするサイドノック式の筆記具。
【請求項２】
前記保持スプリングは、上方に延びる湾曲のない状態において、内部を通る前記連結部材が前記保持スプリングの外部から視認できないように形成されている、
ことを特徴とする請求項１に記載のサイドノック式の筆記具。
【請求項３】
前記可動部は、前記筆記具本体における前記ノック操作部がある側を正面側、前記基端部を上側、前記先端部を下側に向けた状態において、前記ノック操作部の前記第１位置と第２位置との間の移動に伴って、前記連結部材を介して、左右方向に向けられた第１軸を基準に第３位置と第４位置との間を回動可能である、
ことを特徴とする請求項２に記載のサイドノック式の筆記具。
【請求項４】
前記キャラクタ本体は、顔の目に相当する部分に透孔を有し、
前記可動部は、目が形成されていて、前記第３位置と第４位置とのうちの一方で前記目が前記透孔を介して視認可能であり、他方で前記透孔を介して視認不能である、
ことを特徴とする請求項３に記載のサイドノック式の筆記具。
【請求項５】
前記キャラクタ本体は、開閉自在な口を有し、
前記可動部は、前記第３位置と第４位置とのうちの一方で前記キャラクタ本体の口を開け、他方で閉じる、
ことを特徴とする請求項３に記載のサイドノック式の筆記具。
【請求項６】
前記可動部は、前記筆記具本体における前記ノック操作部がある側を正面側、前記基端部を上側、前記先端部を下側に向けた状態において、前記ノック操作部の前記第１位置と第２位置との間の移動に伴って、前記連結部材を介して、前後方向に向けられた第２軸を基準に第５位置と第６位置との間を回動可能である、
ことを特徴とする請求項２に記載のサイドノック式の筆記具。
【請求項７】
前記可動部は、前記キャラクタ本体によって回動可能に支持された腕であり、前記腕は、前記第５位置と第６位置とのうちの一方で挙げた状態となり、他方で下げた状態となる、
ことを特徴とする請求項６に記載のサイドノック式の筆記具。
【請求項８】
前記可動部は、前記筆記具本体における前記ノック操作部がある側を正面側、前記基端部を上側、前記先端部を下側に向けた状態において、一部に第１斜面を有していて、前記ノック操作部の前記第１位置と第２位置との移動に伴って前記連結部材を介して第７位置と第８位置との間を昇降する第１可動部と、前記第１斜面に係合する第２斜面を有し、前記第１可動部の昇降動作に対応して、前記第１斜面及び前記第２斜面を介して前後動する第２可動部とを備える、
ことを特徴とする請求項２に記載のサイドノック式の筆記具。
【請求項９】
前記キャラクタ本体は、顔の目に相当する部分に透孔を有し、
前記第２可動部は、前記第１可動部の前記第７位置と前記第８位置との一方に対応して、前記透孔から飛び出すとともに他方に対応して前記透孔から引っこむ目部を有する、
ことを特徴とする請求項８に記載のサイドノック式の筆記具。
【発明の詳細な説明】
【技術分野】
【０００１】
本発明は、クリップのノック動作に対応して、キャラクタの一部が動くサイドノック式の筆記具に関する。
【背景技術】
【０００２】
サイドノック式の筆記具において、操作レバー（ノック操作部）の押し下げ動作に連動して、キャラクタを模した形象物が回転するように構成された筆記具が知られている（例えば、特許文献１）。
【０００３】
このものは、筆記具本体の内部に長尺の回転軸が配置されて、この回転軸における筆記具本体の基端部から突出する部分にキャラクタが取り付けられている。操作レバーを押し下げると、内周面に螺旋溝が形成されているスライド部材が押し下げられ、螺旋溝に凸部を係合させている回転軸が回転する。これにより、キャラクタが回転するようになっている。
【特許文献１】特開２００３−１９３６７号公報
【発明の開示】
【発明が解決しようとする課題】
【０００４】
しかしながら、特許文献１によると、筆記具本体の基端部から回転軸の一部が突出されていてその突出部分にキャラクタが固定されているので、使用者は、そのキャラクタが回転する機構（からくり）を目で見て簡単に理解することができる。すなわち、意外性やおもしろみにかけるという問題があった。
【０００５】
そこで、本発明は、外から見たのではキャラクタの一部が移動する機構（からくり）がわからない、意外性やおもしろみのあるサイドノック式の筆記具を提供することを目的とするものである。
【課題を解決するための手段】
【０００６】
請求項１に係る発明は、サイドノック式の筆記具に関する。この発明に係るサイドノック式の筆記具は、軸心に沿って基端部側から先端部側に延びるように形成され、内側に中空の収納部を有する筆記具本体と、前記筆記具本体の前記収納部に収納される収納位置と、前記筆記具本体の前記先端部から突出されて筆記に供される筆記位置との間を移動可能な筆記部と、前記筆記具本体の外周面に前記軸心方向移動可能に突設され、第１位置から第２位置に押し下げられることで、前記筆記部を前記収納位置から前記筆記位置に移動させ、前記第２位置から前記第１位置へ押し上げられることで、前記筆記部を前記筆記位置から前記収納位置に退避させるノック操作部と、前記筆記具本体の前記基端部から上方に向かって延びる湾曲可能な保持スプリングと、前記保持スプリングの上端に固定されたキャラクタ本体を有するキャラクタと、前記キャラクタの一部を構成するとともに、前記キャラクタ本体によって運動可能に支持された可動部と、前記筆記具本体の前記収納部と前記保持スプリングの内側と前記キャラクタ本体の内部を通って前記ノック操作部と前記可動部とを連結する可撓性の連結部材とを備え、前記ノック操作部の前記第１位置と第２位置との間の移動に伴って、前記連結部材を介して前記可動部が視認可能な動作を行う、ことを特徴とする。
【０００７】
請求項２に係る発明は、請求項１に係るサイドノック式の筆記具において、前記保持スプリングは、上方に延びる湾曲のない状態において、内部を通る前記連結部材が前記保持スプリングの外部から視認できないように形成されている、ことを特徴とする。
【０００８】
請求項３に係る発明は、請求項２に係るサイドノック式の筆記具において、前記可動部は、前記筆記具本体における前記ノック操作部がある側を正面側、前記基端部を上側、前記先端部を下側に向けた状態において、前記ノック操作部の前記第１位置と第２位置との間の移動に伴って、前記連結部材を介して、左右方向に向けられた第１軸を基準に第３位置と第４位置との間を回動可能である、ことを特徴とする。
【０００９】
請求項４に係る発明は、請求項３に係るサイドノック式の筆記具において、前記キャラクタ本体は、顔の目に相当する部分に透孔を有し、前記可動部は、目が形成されていて、前記第３位置と第４位置とのうちの一方で前記目が前記透孔を介して視認可能であり、他方で前記透孔を介して視認不能である、ことを特徴とする。
【００１０】
請求項５に係る発明は、請求項３に係るサイドノック式の筆記具において、前記キャラクタ本体は、開閉自在な口を有し、前記可動部は、前記第３位置と第４位置とのうちの一方で前記キャラクタ本体の口を開け、他方で閉じる、ことを特徴とする。
【００１１】
請求項６に係る発明は、請求項２に係るサイドノック式の筆記具において、前記可動部は、前記筆記具本体における前記ノック操作部がある側を正面側、前記基端部を上側、前記先端部を下側に向けた状態において、前記ノック操作部の前記第１位置と第２位置との間の移動に伴って、前記連結部材を介して、前後方向に向けられた第２軸を基準に第５位置と第６位置との間を回動可能である、ことを特徴とする。
【００１２】
請求項７に係る発明は、請求項６に係るサイドノック式の筆記具において、前記可動部は、前記キャラクタ本体によって回動可能に支持された腕であり、前記腕は、前記第５位置と第６位置とのうちの一方で挙げた状態となり、他方で下げた状態となる、ことを特徴とする。
【００１３】
請求項８に係る発明は、請求項２に係るサイドノック式の筆記具において、前記可動部は、前記筆記具本体における前記ノック操作部がある側を正面側、前記基端部を上側、前記先端部を下側に向けた状態において、一部に第１斜面を有していて、前記ノック操作部の前記第１位置と第２位置との移動に伴って前記連結部材を介して第７位置と第８位置との間を昇降する第１可動部と、前記第１斜面に係合する第２斜面を有し、前記第１可動部の昇降動作に対応して、前記第１斜面及び前記第２斜面を介して前後動する第２可動部とを備える、ことを特徴とする。
【００１４】
請求項９に係る発明は、請求項８に係るサイドノック式の筆記具において、前記キャラクタ本体は、顔の目に相当する部分に透孔を有し、前記第２可動部は、前記第１可動部の前記第７位置と前記第８位置との一方に対応して、前記透孔から飛び出すとともに他方に対応して前記透孔から引っこむ目部を有する、ことを特徴とする。
【発明の効果】
【００１５】
本発明によれば、キャラクタは、筆記具本体の基端部と保持スプリングによって連結されていて、この保持スプリングが３６０度、任意の方向に自在に湾曲することにより、移動することができる。このため、筆記具の使用者は、保持スプリング以外のものによって、ノック操作部とキャラクタの可動部とが連結されているとは想像することができない。しかし、実際には、ノック操作部とキャラクタの可動部とは、保持スプリングの内側を貫通して保持スプリングの湾曲に伴って湾曲することができる連結部材によって連結されているので、ノック操作部を第１位置と第２位置との間で移動させると、可動部が運動し、使用者はその運動を外部から視認することができる。したがって、使用者は、一見、保持スプリングでしか連結されていないように見えるキャラクタの一部である可動部がノック操作部の操作に伴ってどうして運動するのかを理解することができない。つまり、ノック操作部の移動に伴って、キャラクタの一部が、意外性やおもしろみのある運動をすることになる。
【発明を実施するための最良の形態】
【００１６】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００１７】
図１，図２，図３を参照して、本発明のサイドノック式の筆記具の一例として、実施形態１に係るサイドノック式の筆記具（以下単に「筆記具」という。）１を説明する。なお、以下の説明では、筆記具１が、ボールペンである場合を例に説明するが、本発明に係る筆記具は、これに限定されるものではなく、例えば、シャープペンシルやマーカーや万年筆等にも適用することができる。
【００１８】
図１〜図３のうち、図１（ａ）は筆記具１の正面図、（ｂ）は左側面図、（ｃ）は左斜め上方から見た斜視図である。図２は、左斜め上方から見た筆記具１の分解斜視図である。図３は、左方から見た筆記具１のキャラクタ５０近傍の分解図である。
【００１９】
これらの図に示すように、実施形態１の筆記具１は、筆記具本体１０と、筆記に供される芯（筆記部）２０と、ノック操作部３０と、保持スプリング４０と、キャラクタ５０と、このキャラクタ５０の一部を構成する可動部６０と、連結部材７０とを備えている。
【００２０】
筆記具本体１０は、軸心Ｃ（筆記具本体１０の長手方向に沿って延びる中心軸）に沿って基端側（図１（ａ）の上端側）から先端側（図１（ａ）の下端側）に延びるように長く形成されていて、内側には中空の収納部（不図示）を有している。筆記具本体１０は、全体としてほぼ円筒状に形成されている。筆記具本体１０の下端には、芯（筆記部）２０の先端が出入りする小さな透孔（不図示）が形成されている。また、筆記具本体１０の上端は、開口されていて、この開口部１０ｂ（図２参照）は、キャップ１１によって閉蓋されている。キャップ１１は、上下に貫通する透孔１１ａが穿設されていて、この透孔１１ａには、後述する連結部材７０としての索条体７１が挿通されている。筆記具本体１０の正面側の上部には、上下方向に長いガイド溝１０ａが形成されている。後述するノック操作部３０は、このガイド溝１０ａに沿って昇降（上下動）する。
【００２１】
筆記部２０は、細長い芯であって、図１（ａ）に示す、筆記具本体１０の収納部に収納された収納位置Ｂ１と、先端のボール部を筆記具本体１０の先端の透孔から突出させた筆記位置Ｂ２との間を移動可能である。なお、筆記部２０は、コイルスプリング（不図示）によって上方に向かって付勢されている。
【００２２】
ノック操作部３０は、筆記具本体１０の外周面に、軸心Ｃ方向に移動可能に突設されており、筆記具本体１０のガイド溝１０ａにガイドされて、上方の第１位置Ａ１（図１（ａ）の実線参照）と下方の第２位置Ａ２（図１（ａ）の波線参照）との間を移動することができる。上述の筆記部２０は、ノック操作部３０が第１位置Ａ１に配置されるのに対応して、収納位置Ｂ１に配置され、使用者によってノック操作部３０がコイルスプリングの付勢力に抗して第１位置Ａ１から第２位置Ａ２に押し下げられるのに伴って、収納位置Ｂ１から筆記位置Ｂ２に移動される。なお、第２位置Ａ２に配置されたノック操作部３０は、筆記具本体１０に設けられた係止部（不図示）に係合することでその第２位置Ａ２を保持するようになっている。一方、例えば、ノック操作部３０の下端を使用者が軽く手前に引くことで、係合状態が解除される。ノック操作部３０は、この係合解除により、コイルスプリングの付勢力によって、記録部２０が筆記位置Ｂ２から収納位置Ｂ１に移動されるのに伴って、第２位置Ａ２から第１位置Ａ１に復帰する。ノック操作部３０には、図２に示すほぼ円筒状の連結部材留め具６２が係合されている。連結部材留め具６２は、上下方向の中央がくびれた円筒状に形成されていて、筆記具本体１０の内側の収納部に収納されるとともに、くびれ部がノック操作部３０の一部に係合されている。また、連結部材留め具６２は、上下方向に貫通する透孔６２ａが穿設されている。この透孔６２ａには、後述する連結部材７０としての索条体７１が下方から挿通され、索条体７１の下端の球状のストッパ７１ａが透孔６２ａの下端に引っ掛かるようになっている。なお、索条体７１の上端は、後述する昇降部材６３の透孔６３ａに下方から挿通された後、透孔６３ａの上端に固定されるようになっている。ノック操作部３０を第１位置Ａ１から第２位置Ａ２に押し下げると、これに伴って連結部材留め具６２が下降して、索条体７１を可能に引き下げるようになっている。なお、本実施形態では、ノック操作部３０は、筆記具１を例えば、使用者の上着のポケットに刺す際に使用するクリップとしても機能する。
【００２３】
保持スプリング４０は、コイルスプリングによって形成されていて、下端部と上端部とにそれぞれ直径の大きい大径部４０ａ，４０ｂを有し、これら大径部４０ａ，４０ｂの間に直径の小さい小径部４０ｃを有している。保持スプリング４０は、下側の大径部４０ａが、上述のキャップ１１に固定され、また、上側の大径部４０ｂがキャラクタ５０の下端の凸部５２ｂ（図３参照）に固定されている。保持スプリング４０全体は、巻き部分の間隔が密な、すなわち巻き部分の間に隙間ができないように形成されていて、自然状態では、直立状態でキャラクタ５０を保持している。したがって、保持スプリング４０の内側を下方から上方に向かって貫通する索条体７１を外部から視認することができないようになっている。このため、使用者は、保持スプリング４０の内側に索条体７１が挿通されていることに気づかない。保持スプリング４０は、３６０度任意の方向に湾曲することが可能である。この点も、使用者が内側に挿通された索条体７１に気づかない要因になっている。
【００２４】
キャラクタ５０は、保持スプリング４０の上端に固定されたキャラクタ本体５１と、このキャラクタ本体５１によって運動可能に支持された可動部６０としての揺動部材６１とを有している。キャラクタ本体５１は、２つ割の、キャラクタの前側部分を構成する前半部５１ａと、後側部分を構成する後半部５１ｂと、これらに挟まれたほぼ板状のベース部材５２とによって構成されている。キャラクタ５０の前半部５１ａは、顔を模して形成されていて、目に相当する部分には、透孔５１ｃ，５１ｃが穿設されている。ベース部材５２は、前側における左端側と右端側とに第１軸受５２ａ，５２ａを有していて、揺動部材６１の左端側と右端側とに左右方向に沿ってそれぞれ外側に向けて突設された第１軸６１ａ，６１ａ（ただし、図２では一方の第１軸６１ａのみを図示）を回転自在に支持している。ベース部材５２は、図３に示すように下端部に凸部５２ｂが形成されていて、この凸部５２ｂに、保持スプリング４０の上側の大径部４０ｂが嵌合されている。ベース部材５２の左右方向の中央には、上端が開口された上下方向の溝状の昇降ガイド５２ｃが形成されている。この昇降ガイド５２ｃによって、昇降部材６３が昇降自在にガイドされている。昇降部材６３は、図３に示すように、ベース部材５２の後面側（背面側）の下部に突設された凸部５２ｄに下端を嵌合させたコイルスプリング６４によって上方に向けて付勢されている。また、昇降部材６３の前端側には、図２に示すように、第２軸受６３ｂが形成されていて、揺動部材６１の左右方向の中央に形成された第２軸６１ｂに係合されている。揺動部材６１には、左端側と右端側とに、例えば、赤目Ａが塗られている。
【００２５】
可動部６０としての揺動部材６１は、その第１軸６１ａ，６１がベース部材５２の第１軸受５２ａ，５２ａによって回転自在に支持されるとともに、第２軸６１ｂが、コイルスプリング６４によって上方に付勢された昇降部材６３の第２軸受６３ｂに係合されている。
【００２６】
連結部材７０としての索条体７１は、例えば、太めのナイロンによって形成することができる。索条体７１は、連結部材留め具６２の透孔６２ａを下方から貫通し、キャップ１１の透孔１１ａ及び保持スプリング４０の内側を下方から貫通し、さらに、ベース部材５２の透孔５２ｅを下方から挿通し、そして、昇降部材６３の透孔６３ａを下方から貫通して、固定されている。
【００２７】
以上の構成の筆記具１は、ノック操作部３０が第１位置Ａ１に配置された状態においては、芯（筆記部）２０は収納部の収納位置Ｂ１に配置され、また、揺動部材６１は、コイルスプリング６４によって上方に付勢された昇降部材６３によって上方の第３位置Ａ３に押し上げられる。この状態においては、キャラクタ５０の前半部５１ａの透孔５１ｃ，５１ｃを介して、赤目Ａを見ることはできない。一方、ノック操作部３０を第１位置Ａ１から第２位置Ａ２に押し下げると、筆記部２０は収納位置Ｂ１から筆記位置Ｂ２に移動されて筆記が可能になるとともに、また、揺動部材６１は、索条体７１を介して昇降部材６３が下方に引かれることによって、コイルスプリング６４の付勢力に抗して下方の第４位置（不図示）に揺動される。なお、図３には、昇降部材６３が第４位置Ａ４（不図示）に配置されたときの赤めＡの位置を点線（Ａ４）で図示している。この状態においては、キャラクタ５０の前半部５１ａの透孔５１ｃ，５１ｃを介して、赤目Ａを見ることができる。
【００２８】
以上の筆記具１においては、キャラクタ５０は、筆記具本体１０の基端部と保持スプリング４０によって連結されていて、この保持スプリング４０が３６０度、任意の方向に自在に湾曲することにより、移動することができる。このため、筆記具１の使用者は、保持スプリング４０以外のものによって、ノック操作部３０とキャラクタ５０の揺動部材６１（可動部６０）とが連結されているとは想像することができない。しかし、実際には、ノック操作部３０とキャラクタ５０の揺動部材６１とは、保持スプリング４０の内側を貫通して保持スプリング４０の湾曲に伴って湾曲することができる索条体７１（連結部材７０）によって連結されているので、ノック操作部３０を第１位置Ａ１と第２位置Ａ２との間で移動させると、揺動部材７１（可動部７０）が揺動（回転）し、使用者は、今まで見えなかった赤目Ａをキャラクタ５０の外部から視認することができる。したがって、使用者は、一見、保持スプリング４０でしか連結されていないように見えるキャラクタ５０の一部である揺動部材６１がどうして揺動して赤目Ａが見えるようになったのかを理解することができない。つまり、ノック操作部３０の移動に伴って、キャラクタ５０の一部である揺動部材６１が揺動して赤目Ａが見えるようになるという、意外性やおもしろみを発揮することができる。
＜実施形態２＞
【００２９】
図４，図５，図６を参照して、本発明に係るサイドノック式筆記具の実施形態２（筆記具２）を説明する。ここで、図４（ａ）はキャラクタ５０Ａが腕５３ｃ，５３ｄを下げた状態（第５位置Ａ５）を示す斜視図、（ｂ）は腕５３ｃ，５３ｄを挙げた状態（第６位置Ａ６）を示す斜視図である。図５は、キャラクタ５０Ａの分解斜視図である。図６（ａ），（ｂ），（ｃ）は、この順に、キャラクタ５０Ａが腕５３ｃ，５３ｄを下げた状態の上面図，正面図，左側面図であり、（ｄ）はキャラクタ５０Ａが腕５３ｃ，５３ｄを挙げた状態の正面図である。なお、以下の説明では、保持スプリング４０よりも下方に位置する、筆記具本体１０、筆記部２０、ノック操作部３０等については、構成及び作用が上述の実施形態１と同様であるので、これらについての重複説明は省略する。なお、この点は、以下の＜実施形態３＞，＜実施形態４＞についても同様である。
【００３０】
これらの図に示すように、キャラクタ５０Ａは、２分割された前半部５３ａと後半部５３ｂとを合わせて構成したキャラクタ本体５３と、このキャラクタ本体５３によって揺動可能に支持された腕（可動部）５３ｃ，５３ｄとを備えている。
【００３１】
一方の腕５３ｃの基端部には、前後方向に沿って前側及び後側に向けて軸５３ｅが突設されていて、この軸５３ｅは、前半部５３ａの軸受５３ｆと後半部５３ｂの軸受５３ｇとによって揺動自在に支持されている。同様に、他方の腕５３ｄの基端部には、前後方向に沿って前側及び後側に向けて軸５３ｈが突設されていて、この軸５３ｈは、前半部５３ａの軸受５３ｉと後半部５３ｂの軸受５３ｊとによって揺動自在に支持されている。また、それぞれの腕５３ｃ，５３ｄの基端部には、それぞれ内側に向けて凸部５３ｋ，５３ｍが突設されていて、これら凸部５３ｋ，５３ｍは、左右方向に向けて配置されたコイルスプリング７４の左右両端部にそれぞれ嵌合されてる。このコイルスプリング７４は、索条体７２（連結部材７０）の先端部（上端部）に固定された保持部材７３によって左右方向の中央近傍が保持されている。
【００３２】
上述構成のキャラクタ５０Ａは、ノック操作部３０（図１参照）が第１位置Ａ１に配置されている場合には、図４（ａ），図６（ａ）〜（ｃ）に示すように、腕５３ｃ，５３ｄを斜め下方に下げた第５位置Ａ５に配置する。一方、ノック操作部３０が第１位置Ａ１から第２位置Ａ２に押し下げられると、索条体７２が下方に引かれて保持部材７３が下降するので、コイルスプリング７４は、図６（ｄ）に示すように、中央が押し下げられため、図４（ｂ），図６（ｄ）に示すように、腕５３ｃ，５３ｄは斜め上方の第６位置Ａ６に挙げられる。
【００３３】
本実施形態の筆記具２は、使用者には、湾曲自在な保持スプリング４０を貫通した索条体７２を介して、ノック操作部３０の動作に連動して腕５３ｃ，５３ｄが挙げ下げされる、という機構（からくり）がわからないので、意外性やおもしろみのあるものとなる。特に、本実実施形態においては、ノック操作部３０が第１位置Ａ１から第２位置Ａ２に押し下げられると、これに伴って、腕５３ｃ，５３ｄが、下方の第５位置から上方の第６位置に挙げられる、というように、ノック操作部３０の移動方向と、腕５３ｃ，５３ｄの移動方向がほぼ逆になるといった意外性が、さらに追加される。
＜実施形態３＞
【００３４】
図７，図８，図９を参照して、本発明に係るサイドノック式の筆記具の実施形態３（筆記具３）を説明する。ここで、図７（ａ）はキャラクタ５０Ｂが口Ｍを開けた状態（第３位置Ａ３）を示す斜視図、（ｂ）は口Ｍを閉じた状態（第４位置）Ａ４）を示す斜視図である。図８は、キャラクタ５０Ｂの分解斜視図である。図９（ａ），（ｂ），（ｃ）は、この順に、キャラクタ５０Ｂが口Ｍを開けた状態の上面図，正面図，左側面図であり、（ｄ）はキャラクタ５０Ｂが口Ｍを閉じた状態の正面図である。
【００３５】
これらの図に示すように、キャラクタ５０Ｂは、胴部５４ａと、２分割の前半部５４ｂ及び後半部５４ｃを合わせた頭部５４とを有している。胴部５４ａは、左右にそれぞれ腕５４ｅ，５４ｄが突設されており、上方に開口する開口部は下蓋７６によって閉じられている。また、頭部５４における、下方を向いた開口部は上蓋（可動部）７５によって閉じられている。胴部５４ａにおける後端部には、左右方向を向いた軸心を有する軸受５４ｆが上向きに突設され、また、上蓋７５における後端部には、左右方向を向いた軸心を有する軸受５４ｇが下向きに突設されている。これら軸受５４ｆ，５４ｇは、左右方向を向いた共通の軸７８によって連結されている。このため、頭部５４は、胴部５４ａに対し、後端側の軸７８を中心として、前側が開閉自在、つまり口Ｍが開閉自在となっている。さらに、軸７８には捩りコイルスプリング７７が装着されていて、これにより、頭部５４は開放方向に付勢されている。索条体７３（連結部材７０）は、胴部５４ａ及び下蓋７６の中心を下方から上方に貫通し、さらに、上蓋７５の中心を貫通して固定されている。
【００３６】
上述構成のキャラクタ５０Ｂは、ノック操作部３０（図１参照）が第１位置Ａ１に配置されている場合には、図７（ａ），図９（ａ）〜（ｃ）に示すように、頭部５４が第３位置Ａ３に配置されて、口Ｍが開けられた状態となる。一方、ノック操作部３０が第１位置Ａ１から第２位置Ａ２に押し下げられると、索条体７２が下方に引かれて上蓋７５を介して頭部５４が軸７８を基準として下がって第４位置（Ａ４）に配置されて、口Ｍが閉じられる。
【００３７】
本実施形態の筆記具３は、使用者には、湾曲自在な保持スプリング４０を貫通した索条体７３を介して、ノック操作部３０の動作に連動して口Ｍが開閉される、というからくりがわからないので、意外性やおもしろみのあるものとなる。
＜実施形態４＞
【００３８】
図１０，図１１，図１２を参照して、本発明に係るサイドノック式の筆記具の実施形態４（筆記具４）を説明する。ここで、図１０（ａ）はキャラクタ５０Ｃの目部５５ｃが凹んだ状態を示す斜視図、（ｂ）は目部５５ｃが出っ張った状態を示す斜視図である。図１１は、キャラクタ５０Ｃの分解斜視図である。図１２（ａ），（ｂ），（ｃ）は、この順に、キャラクタ５０Ｃの目部５５ｃが凹んだ状態の上面図，正面図，左側面図であり、（ｄ）はキャラクタ５０Ｃの目部５５ｃが出っ張った状態の正面図である。
【００３９】
キャラクタ５０Ｃは、２分割の、前側に位置する前半部５５ａと後側に位置する後半部５５ｂとを合わせたキャラクタ本体５５を有している。連結部材７０としての索条体８０の先端（状態）には、昇降ブロック８１が固定されている。昇降ブロック８１は、下向きで、前側ほど高くなる傾斜面（第１斜面）８１ａが形成されている。この傾斜面８１ａは、目部８４の後端に形成された、上向きで後側ほど低くなる傾斜面（第２斜面）５５ｄに係合されている。目部８４には、前側に向けて２つの目５５ｃ，５５ｃが突設されていて、これら目５５ｃ，５５ｃは、顔を構成する前半部５５ａの透孔５５ｅ，５５ｅから出入りするようになっている。上述の索条体８０には、保持スプリング４０と昇降ブロック８１との間にコイルスプリング８２が介装されていて、昇降ブロック８１及び索条体８０は上方に付勢されている。また、目部８４は、前半部５５ａの後面との間に介装されたコイルスプリング８３によって後方に付勢されている。
【００４０】
上述構成のキャラクタ５０Ｃは、ノック操作部３０（図１参照）が第１位置Ａに配置されている場合には、昇降ブロック８１がコイルスプリング８０によって上方に付勢されて第７位置Ａ７（図１２（ｃ）参照）、また、目部８４がコイルスプリング８３によって後方に付勢されることにより、図１０（ａ），図１２（ａ）〜（ｃ）に示すように、目５５ｃ，５５ｃが凹んだ状態となる。一方、ノック操作部３０が第１位置Ａ１から第２位置Ａ２に押し下げられると、索条体８０が下方に引かれて昇降ブロック８１が第８位置Ａ８（図１２（ｄ）参照）に下降し、傾斜面８１ａ，５５ｄを介して、目部８４が前進されるので、目５５ｃ，５５ｃは、図１０（ｂ），図１２（ｄ）に示すように、出っ張った状態となる。
【００４１】
本実施形態の筆記具４は、使用者には、湾曲自在な保持スプリング４０を貫通した索条体８０を介して、ノック操作部３０の動作に連動して目５５ｃが凹んだり出っ張ったりする、という機構（からくり）がわからないので、意外性やおもしろみのあるものとなる。
【００４２】
本実施形態４の変形例として、キャラクタ５０Ｃの前半部５５ａに口（不図示）を開口し、さらに、基端部を昇降ブロック８１に固定した舌部（不図示）の先端を、口から突出させるようにすると、ノック操作部３０の押し下げに対応して、舌部が口から飛び出し、一方、ノック操作部３０が上に戻ると舌部が口から引っ込むようにすることができる。
【図面の簡単な説明】
【００４３】
【図１】（ａ）は筆記具１の正面図、（ｂ）は左側面図、（ｃ）は左斜め上方から見た斜視図である。
【図２】左斜め上方から見た筆記具１の分解斜視図である。
【図３】左方から見た筆記具１のキャラクタ５０近傍の分解図である。
【図４】（ａ）はキャラクタ５０Ａが腕５３ｃ，５３ｄを下げた状態（第５位置Ａ５）を示す斜視図、（ｂ）は腕５３ｃ，５３ｄを挙げた状態（第６位置Ａ６）を示す斜視図である。
【図５】キャラクタ５０Ａの分解斜視図である。
【図６】（ａ），（ｂ），（ｃ）は、この順に、キャラクタ５０Ａが腕５３ｃ，５３ｄを下げた状態の上面図，正面図，左側面図であり、（ｄ）はキャラクタ５０Ａが腕５３ｃ，５３ｄを挙げた状態の正面図である。
【図７】（ａ）はキャラクタ５０Ｂが口Ｍを開けた状態（第３位置Ａ３）を示す斜視図、（ｂ）は口Ｍを閉じた状態（第４位置）Ａ４）を示す斜視図である。
【図８】キャラクタ５０Ｂの分解斜視図である。
【図９】（ａ），（ｂ），（ｃ）は、この順に、キャラクタ５０Ｂが口Ｍを開けた状態の上面図，正面図，左側面図であり、（ｄ）はキャラクタ５０Ｂが口Ｍを閉じた状態の正面図である。
【図１０】（ａ）はキャラクタ５０Ｃの目部５５ｃが凹んだ状態を示す斜視図、（ｂ）は目部５５ｃが出っ張った状態を示す斜視図である。
【図１１】キャラクタ５０Ｃの分解斜視図である。
【図１２】（ａ），（ｂ），（ｃ）は、この順に、キャラクタ５０Ｃの目部５５ｃが凹んだ状態の上面図，正面図，左側面図であり、（ｄ）はキャラクタ５０Ｃの目部５５ｃが出っ張った状態の正面図である。
【符号の説明】
【００４４】
１，２，３，４
サイドノック式の筆記具（筆記具）
１０        筆記具本体
２０        芯（筆記部）
３０        ノック操作部
４０        保持スプリング
５０，５０Ａ，５０Ｂ，５０Ｃ
キャラクタ
５１，５３，５４，５５
キャラクタ本体
５３ｃ，５３ｄ
腕（可動部）
５５ｃ      目
５５ｄ      傾斜面（第２斜面）
６０        可動部
６１        揺動部材
７０        連結部材
７１，７２，７３，８０
索条体
７５        上蓋（可動部）
８１        昇降ブロック（第１可動部）
８１ａ      傾斜面（第１斜面）
８４        目部（第２可動部）
Ａ１        第１位置
Ａ２        第２位置
Ａ３        第３位置
Ａ４        第４位置
Ａ５        第５位置
Ａ６        第６位置
Ａ７        第７位置
Ａ８        第８位置
Ｂ１        収納位置
Ｂ２        筆記位置
Ｃ          軸心
Ｍ          口
【図１】
2010234626.tif 000003
【図２】
2010234626.tif 000004
【図３】
2010234626.tif 000005
【図４】
2010234626.tif 000006
【図５】
2010234626.tif 000007
【図６】
2010234626.tif 000008
【図７】
2010234626.tif 000009
【図８】
2010234626.tif 000010
【図９】
2010234626.tif 000011
【図１０】
2010234626.tif 000012
【図１１】
2010234626.tif 000013
【図１２】
2010234626.tif 000014